(57)【要約】【課題】測定のための専門的な知識や技能を持たない人物では、構築物の損傷の寸法を測定することが困難であった。【解決手段】測定の基準となる第１長さ指定点３−１，３−２と第２長さ指定点３−３，３−４とを有する、棒状の、複数の長さ指定部２０−１，２０−２と、複数の長さ指定部のそれぞれを、それぞれの長さの中心点２で互いに交差するように、保持するベース部１０とを備え、複数の長さ指定部のそれぞれは、直線上に配置された棒状の第１長尺部２０−１ａ，２０−２ａと第２長尺部２０−１ｂ，２０−２ｂとからなり、第１長尺部は、第１端に第１長さ指定点を有するとともに、第２端にベース部と結合する第１結合部１４−１，１４−２を有し、第２長尺部は、第１端に第２長さ指定点を有するとともに、第２端にベース部と結合する第２結合部１４−３，１４−４を有することを特徴とする。【選択図】図１ 
2005337942.tif 000002
【特許請求の範囲】
【請求項１】
一端に測定の基準となる第１長さ指定点を有するとともに、他端に測定の基準となる第２長さ指定点を有する、棒状の、複数の長さ指定部と、
前記複数の長さ指定部をそれぞれの長さの中心点で互いに交差するように保持するベース部とを備え、
前記複数の長さ指定部のそれぞれは、直線上に配置された棒状の第１長尺部と第２長尺部とからなり、
前記第１長尺部は、第１端に前記第１長さ指定点を有するとともに、第２端に前記ベース部と結合する第１結合部を有し、
前記第２長尺部は、第１端に前記第２長さ指定点を有するとともに、第２端に前記ベース部と結合する第２結合部を有することを特徴とする測定用器具。
【請求項２】
請求項１に記載の測定用器具において、
前記ベース部は、前記長さ指定部の中心点に対応する対応点を有しており、かつ、前記第１長尺部の第１長さ指定点と前記対応点と前記第２長尺部の第２長さ指定点とが直線上に並ぶとともに、前記対応点から前記第１長さ指定点までの長さと前記対応点から前記第２長さ指定点までの長さが等しくなるように、前記第１および第２長尺部を保持することを特徴とする測定用器具。
【請求項３】
請求項１に記載の測定用器具において、
前記第１結合部を、前記第１長尺部と前記ベース部とを回動可能に結合するヒンジとし、
前記第２結合部を、前記第２長尺部と前記ベース部とを回動可能に結合するヒンジとすることを特徴とする測定用器具。
【請求項４】
請求項３に記載の測定用器具において、
前記ベース部を、前記長さ指定部の中心点に対応する対応点を有する平板状プレートとし、
前記平板状プレートは、前記第１長尺部の回動を所定の方向に導く第１ガイドと、前記第２長尺部の回動を所定の方向に導く第２ガイドとを有し、
前記第１および第２ガイドは、前記第１および第２長尺部の回動を所定の方向に導き、前記第１長尺部の第１長さ指定点と前記対応点と前記第２長尺部の第２長さ指定点とが直線上に並ぶとともに、前記対応点から前記第１長尺部の第１長さ指定点までの長さと前記対応点から前記第２長尺部の第２長さ指定点までの長さが等しくなる位置に、前記第１および第２長尺部を固定することを特徴とする測定用器具。
【請求項５】
請求項１に記載の測定用器具において、
前記第１および第２結合部を、前記第１および第２長尺部の第２端が嵌入固定される嵌入固定部とすることを特徴とする測定用器具。
【請求項６】
請求項１乃至５のいずれか１項に記載の測定用器具において、
前記第１および第２長尺部は、それぞれ、前記第１端に、前記第１端から前記長さ指定部の中心点側に向けて削り込まれた三角形の切欠を有しており、
前記第１長尺部の切欠は、三角形の頂点が前記第１長さ指定点となり、
前記第２長尺部の切欠は、三角形の頂点が前記第２長さ指定点となることを特徴とする測定用器具。
【請求項７】
請求項１乃至６のいずれか１項に記載の測定用器具において、
前記第１および第２長尺部は、前記第１長さ指定点と前記長さ指定部の中心点と前記第２長さ指定点とを通る直線上に、等間隔で離間して設けられた、前記長さ指定部の中心点からの距離を指定する複数の貫通孔を、副次的な長さ指定点として備えていることを特徴とする測定用器具。
【請求項８】
請求項１乃至７のいずれか１項に記載の測定用器具において、
前記第１および第２長尺部は、伸縮固定自在な多段状構造を備えていることを特徴とする測定用器具。
【請求項９】
請求項１乃至８のいずれか１項に記載の測定用器具において、
前記第１および第２長尺部は、それぞれの長尺方向に直交する横断面形状を、長尺方向に沿う両縁部を互いに向き合う方向に折り曲げてある、コの字状とすることを特徴とする測定用器具。
【請求項１０】
請求項１乃至８のいずれか１項に記載の測定用器具において、
前記第１および第２長尺部は、それぞれの長尺方向に直交する横断面形状を、円環状とすることを特徴とする測定用器具。
【請求項１１】
請求項１乃至１０のいずれか１項に記載の測定用器具において、
前記ベース部は、前記長さ指定部の中心点に対応する対応点を有しており、前記対応点上に測定用器具を持ち抱えるためのグリップ部を備えていることを特徴とする測定用器具。
【請求項１２】
請求項１乃至１１のいずれか１項に記載の測定用器具において、
前記複数の長さ指定部を、互いに直交する第１および第２長さ指定部とし、
前記第１長さ指定部の第１長さ指定点と前記第２長さ指定部の第１長さ指定点と前記第１長さ指定部の第２長さ指定点と前記第２長さ指定部の第２長さ指定点とを順次に結ぶ直線で形成される軌跡の形状が平行四辺形であることを特徴とする測定用器具。
【請求項１３】
請求項７に記載の測定用器具において、
前記複数の長さ指定部を、互いに直交する第１および第２長さ指定部とし、
前記長さ指定部の中心点を囲むように、前記第１長さ指定点と前記第２長さ指定点と複数の前記副次的な長さ指定点の中のいずれか４つの指定点を選択する場合に、選択された４つの指定点の隣接するもの同士を順次に結ぶ直線で形成される軌跡の形状が平行四辺形であることを特徴とする測定用器具。
【請求項１４】
請求項１２または１３に記載の測定用器具において、
前記軌跡の形状は、正方形であることを特徴とする測定用器具。
【請求項１５】
請求項１乃至１４のいずれか１項に記載の測定用器具において、
前記ベース部は、測定用器具を立て掛けた状態で支持する支持部を備えていることを特徴とする測定用器具。
【発明の詳細な説明】
【技術分野】
【０００１】
この発明は、例えば、ひび割れや仕上げ材の部分的な欠落などの、構築物の損傷を測定対象とし、測定対象の周囲に測定の基準となるマークを付すのに好適な測定用器具に関する。
【背景技術】
【０００２】
土砂や、コンクリート（モルタルを含む）、木材、石材、金属などの材料を使用する、家（ビルを含む）や、道路、港、橋、堤などの土木建築物と称される構築物は、長期間、風雨に曝されることによって、または、長期間、自動車や風、地震、その他に起因する様々な振動を受けることによって、ひび割れや仕上げ材の部分的な欠落などの損傷が生じる。そこで、これらの構築物の建築主らは、構築物の損傷の寸法を定期的に測定するのが一般的である。構築物の損傷の寸法を測定する手法としては、例えば、以下のようなものがある。
【０００３】
第１の手法は、同じ長さの２つの棒が直角なＬ字状に接合されている測定用器具を用いるものである。なお、測定用器具の２つの棒は、２つの棒の接合箇所から等しい長さの２つの位置を指定するための定規として利用される部位となる。そこで、以下、測定用器具の２つの棒を長さ指定部といい、測定用器具を二等辺定規という。また、２つの長さ指定部の自由端側の先端（以下、終端という）は、２つの長さ指定部の接合箇所から等しい長さの２つの点を示している。そこで、以下、２つの長さ指定部の終端を長さ指定点という。なお、２つの長さ指定部の固定端側の先端を始端という。
【０００４】
この二等辺定規は、作業者によって以下のように利用される。なお、以下は、測定対象である構築物の損傷として、壁面に生じたひび割れを例にして説明する。
【０００５】
まず、作業者は、目分量で、ひび割れの略中央部の位置を決定する。次に、二等辺定規の頂点（すなわち、２つの長さ指定部の接合箇所）がひび割れの略中央部に重なるように、二等辺定規をひび割れに添える。そして、二等辺定規の２つの終端に沿ってひび割れの周囲にフエルトペンなどの筆記用具でマークを付ける。次に、ひび割れの略中央部と二等辺定規の頂点とを一致させた状態で、二等辺定規を１８０度回転させる。そして、再度、二等辺定規の２つの終端に沿ってひび割れの周囲にマークを付ける。これにより、ひび割れの周囲には、ひび割れの略中央部から９０度間隔で等しい長さの位置（すなわち、長さ指定部と同じ長さの位置）に４つのマークが付けられる。この４つのマークは、二等辺定規の頂点（すなわち、２つの長さ指定部の接合箇所）から９０度間隔の長さ指定部と同じ長さに位置する点を示しており、測定時における測定の基準となる。この後、作業者は、二等辺定規をひび割れから取り除き、カメラ（好適にはデジタルカメラ）を所定の位置でかつ所定の方向に設置する。所定の位置とは、測定対象であるひび割れの略中央部に対して垂直となる位置で、かつ、ひび割れの略中央部から所定の距離だけ離間する位置（具体的には、カメラレンズの視野内にひび割れと４つのマークとが入る位置）である。所定の方向とは、カメラレンズの光軸がひび割れの略中央部に垂直に対向する方向である。次に、作業者は、４つのマークが写るように、カメラでひび割れを撮影してその撮影画像をコンピュータに解析させる。コンピュータに解析させるソフトウェアは、すでにいくつかが市販されており、例えば「ＧＳ−１」（株式会社ニコン・トリンブル社の商品名）などがある。コンピュータは、これらのソフトウェアに基づいて、撮影画像に写るひび割れとその周囲の４つのマークとを比較し、ひび割れの寸法を解析する。
【０００６】
第２の手法は、例えば特開平８−１８４１９３号公報に開示されているように、一定間隔おきに吊り下げた複数のメジャーを用いるものである。具体的には、以下のようなものである。まず、作業者は、ひび割れの上方から一定間隔おきに複数のメジャーを吊り下げる。次に、任意の位置から、フィールドスコープなどによってひび割れの全体と複数のメジャーとを視認する。そして、ひび割れとメジャーとを比較し、これによって、ひび割れの寸法を測定する。
【特許文献１】特開平８−１８４１９３号公報（段落０００９〜段落００１３、図３）
【発明の開示】
【発明が解決しようとする課題】
【０００７】
第１の手法と第２の手法は、測定のための高度な知識や技能が作業者に必要となるとともに、多大な手間や時間が必要となる。そのため、測定のための専門的な知識や技能を持たない人物では、測定対象の寸法を測定することが困難であるという課題があった。
【０００８】
例えば、前述の第１の手法では、二等辺定規が重いため、作業者は二等辺定規を固定して支えるための技能が必要となる。また、二等辺定規を回転させる際に誤差が生じ易いため、作業者は誤差が生じないように回転させるための技能が必要となる。また、カメラを所定の位置でかつ所定の方向に設置するためには、測定対象であるひび割れの略中央部に対して垂直となる方向を特定するとともに、ひび割れの略中央部から所定の距離だけ離間する位置を特定する必要がある。そのためには、作業者は専用の測量機器を扱い得るだけの高度な知識と技能が必要となる。
【０００９】
また、第１の手法は、ひび割れの略中央部の位置を決定する工程や、ひび割れの周囲にマークを付ける工程、カメラを所定の位置でかつ所定の方向に設置する工程、ひび割れを撮影する工程、撮影画像に基づいてひび割れの寸法を測定する工程などが存在するため、測定対象の寸法を測定するための多大な手間や時間が必要となる。
【００１０】
また、第１の手法は、マークの位置に誤差が生じ易いため、カメラの設置位置と設置方向が限定される。すなわち、第１の手法は、二等辺定規が重いため、また、二等辺定規を正しく１８０度回転させることが困難であるため、マークの位置に誤差が生じ易い。そこで、誤差の量を識別する必要があるが、誤差の量を識別するためには、所定の方向（すなわち、ひび割れの略中央部に対して垂直となる方向）から撮影した理想的な撮影画像（以下、理想画像という）を取得し、理想画像に写るマークの位置から測定する必要がある。そのため、カメラの設置位置と設置方向を限定する必要があった。
【００１１】
ところで、ひび割れの中には、例えば０．１ｍｍ以下の微細なものがある。そのため、撮影方向によっては、ひび割れに陰影が生じない場合がある。したがって、撮影方向によっては、ひび割れを鮮明に写すことができない場合があった。このようなひび割れを鮮明に写すためには、場合に応じて、作業者がカメラの設置位置や設置方向を選択することが好ましい。
【００１２】
しかしながら、第１の手法は、前述の通り、マークの位置に誤差が生じ易いため、カメラの設置位置と設置方向が限定されている。したがって、第１の手法は、作業者がカメラの設置位置や設置方向を選択することは許容されていなかった。そのため、第１の手法は、測定対象の寸法を測定するための高度な知識や技能が作業者に必要となるとともに、多大な手間や時間が必要となる。
【００１３】
このように、第１の手法は、測定のための高度な知識や技能が作業者に必要となるとともに、多大な手間や時間が必要となる。
【００１４】
他方、前述の第２の手法では、一定間隔おきに複数のメジャーを吊り下げる必要があるため、測定のための高度な知識や技能が作業者に必要となる。
【００１５】
また、第２の手法は、メジャーを吊り下げる工程や、フィールドスコープなどによってひび割れの全体と複数のメジャーとを視認する工程、ひび割れの寸法を測定する工程などが存在するため、測定のための多大な手間や時間が必要となる。
【００１６】
このように、第２の手法も、測定のための高度な知識や技能が作業者に必要となるとともに、多大な手間や時間が必要となる。
【００１７】
また、第２の手法では、メジャーを吊り下げる必要があるため、作業者が吊り下げ位置よりも高い場所に上がる必要がある。したがって、非常に危険であった。そのため、この意味からも、第２の手法は、測定のための専門的な知識や技能を持たない人物では、測定対象の寸法を測定することが困難であった。
【００１８】
そこで、この発明は、測定対象をカメラで撮影してその撮影画像をコンピュータに解析させることを前提とし、測定のための専門的な知識や技能を持たない人物であっても、測定対象の周囲のほぼ定位置にマークを付けることができる測定用器具を提供することを目的とする。
【課題を解決するための手段】
【００１９】
前述の課題を解決するために、この発明に係る測定用器具は、棒状の、複数の長さ指定部と、複数の長さ指定部をそれぞれの長さの中心点で互いに交差するように保持するベース部とを備える。複数の長さ指定部のそれぞれは、直線上に配置された棒状の第１長尺部と第２長尺部とからなる。第１長尺部は、第１端に測定の基準となる第１長さ指定点を有するとともに、第２端にベース部と結合する第１結合部を有する。他方、第２長尺部は、第１端に測定の基準となる第２長さ指定点を有するとともに、第２端にベース部と結合する第２結合部を有する。
【００２０】
なお、この発明を実施するにあたり、好ましくは、ベース部を、長さ指定部の中心点に対応する対応点を有する構造とする。そして、ベース部を、第１長尺部の第１長さ指定点と対応点と第２長尺部の第２長さ指定点とが直線上に並ぶとともに、対応点から第１長さ指定点までの長さと対応点から第２長さ指定点までの長さが等しくなるように、第１および第２長尺部を保持する構造とする。
【００２１】
この発明に係る測定用器具は、以下のように用いられる。すなわち、作業者は、長さ指定部の中心点が測定対象（例えば、ひび割れ）の略中央部に一致するように測定用器具を設置し、各長さ指定点に沿ってマークを付ける。この後、作業者は、カメラで撮影対象とマークとが写るように撮影し、撮影画像をコンピュータに入力する。そして、撮影画像をコンピュータに解析させる。これにより、コンピュータは、撮影画像に写る測定対象とその周囲のマークとを比較し、測定対象の寸法を解析する。
【００２２】
この発明によれば、作業者は、測定用器具を前述のように設置して、各長さ指定点に沿ってマークを付けるだけで、簡単かつ正確に、測定対象の周囲のほぼ定位置に測定の基準となるマークを付けることができる。また、作業者は、カメラで撮影対象とマークとが写るように撮影し、撮影画像をコンピュータに入力するだけで、コンピュータに測定対象の寸法を解析させることができる。
【００２３】
したがって、この発明によれば、測定のための専門的な知識や技能を持たない人物であっても、測定対象の寸法を簡単かつ正確に測定することができる。
【００２４】
なお、この発明を実施するにあたり、好ましくは、第１結合部を、第１長尺部とベース部とを回動可能に結合するヒンジとし、第２結合部を、第２長尺部とベース部とを回動可能に結合するヒンジとする。また、ベース部を、第１長尺部の回動を所定の方向に導く第１ガイドと、第２長尺部の回動を所定の方向に導く第２ガイドとを有する平板状プレートによって構成する。このような構成において、第１および第２ガイドは、第１および第２長尺部の回動を所定の方向に導き、第１長尺部の第１長さ指定点と対応点と第２長尺部の第２長さ指定点とが直線上に並ぶとともに、対応点から第１長尺部の第１長さ指定点までの長さと対応点から第２長尺部の第２長さ指定点までの長さが等しくなる位置に、第１および第２長尺部を固定する。このような構成の測定用器具は、コンパクトにまとめることができるので、容易に運搬することができるとともに、大きな場所をとらずに保管することができる。
【００２５】
または、この発明を実施するにあたり、好ましくは、第１および第２結合部を、第１および第２長尺部の第２端が嵌入固定される、穴や溝などの嵌入固定部とする。このような構成の測定用器具は、分解することができるので、容易に運搬することができる。
【００２６】
また、この発明を実施するにあたり、好ましくは、ガイドを、プレートから隆起する構造とする。このような構成の測定用器具は、ガイドがプレートから隆起しているので、プレートが立体的な構成となっている。そのため、ベース部の強度を高くすることができる。また、ガイドと長さ指定部との接触面積を大きくすることができる。そのため、ガイドと長さ指定部との間に生じる摩擦力によって、長さ指定部の回動を停止させ、長さ指定部を固定させることができる。
【００２７】
また、この発明を実施するにあたり、好ましくは、第１および第２長尺部を、それぞれ、第１端に、第１端から長さ指定部の中心点側に向けて削り込まれた三角形の切欠を有する構造とする。なお、第１長尺部の切欠は、三角形の頂点が第１長さ指定点となり、第２長尺部の切欠は、三角形の頂点が第２長さ指定点となる。作業者は、このような構成の測定用器具を用いることによって、測定対象の周囲に複数のマークを付けることができる。このとき付けられる各マークは、形状が三角形となる。そして、各マークは、三角形の頂点が長さ指定部の中心点側に向くように配置されているとともに、三角形の頂点が長さ指定点に一致している。そのため、コンピュータによって撮影画像を解析させる場合に、コンピュータは、各マークの形状から各マークの配置関係を識別することができるとともに、各マークの形状と配置関係から長さ指定点を識別することができる。その結果、コンピュータは、長さ指定点を容易かつ高精度に検出することができる。
【００２８】
また、この発明を実施するにあたり、好ましくは、第１および第２長尺部を、複数の貫通孔を有する構造とする。複数の貫通孔は、長さ指定部の中心点からの距離を指定する、副次的な長さ指定点となるものである。複数の貫通孔は、第１長さ指定点と長さ指定部の中心点と第２長さ指定点とを通る直線上に、等間隔で離間して設けられる。作業者は、このような構成の測定用器具を用いることによって、測定対象の周囲の任意の位置に、副次的な長さ指定点となる複数のマークを付けることができる。
【００２９】
また、この発明を実施するにあたり、好ましくは、第１および第２長尺部を、伸縮固定自在な多段状構造とする。第１および第２長尺部は、測定時に伸張され、測定以外の時には圧縮することができる。このような構成の測定用器具は、コンパクトな形状に変形することができるので、容易に運搬することができるとともに、大きな場所をとらずに保管することができる。
【００３０】
また、この発明を実施するにあたり、好ましくは、第１および第２長尺部のそれぞれの長尺方向に直交する横断面形状を、長尺方向に沿う両縁部を互いに向き合う方向に折り曲げてある、コの字状とする。このような構成の測定用器具は、長尺部の強度を高くすることができる。しかも、長尺部の中が空洞であるので軽量にすることができる。
【００３１】
または、この発明を実施するにあたり、好ましくは、第１および第２長尺部のそれぞれの長尺方向に直交する横断面形状を、円環状とする。このような構成の測定用器具は、コの字状の横断面形状より劣るが、長尺部の強度をある程度高くすることができる。
【００３２】
また、この発明を実施するにあたり、好ましくは、ベース部を、測定用器具を持ち抱えるためのグリップ部を備えている構造とする。なお、グリップ部を設ける位置は、ベース部の、長さ指定部の中心点に対応する対応点上が好適である。作業者は、グリップ部を介して測定用器具を持ち抱えることができるので、測定用器具の姿勢を容易に変えることができるとともに、容易に運搬することができる。
【００３３】
また、この発明を実施するにあたり、好ましくは、複数の長さ指定部を、互いに直交する第１および第２長さ指定部とし、以下のような構造とする。
【００３４】
すなわち、第１長さ指定部の第１長さ指定点と第２長さ指定部の第１長さ指定点と第１長さ指定部の第２長さ指定点と第２長さ指定部の第２長さ指定点とを順次に結ぶ直線で形成される軌跡の形状を、平行四辺形とする。
【００３５】
または、長さ指定部の中心点を囲むように、第１長さ指定点と第２長さ指定点と副次的な長さ指定点の中のいずれか４つの指定点を選択する場合に、選択された４つの指定点の隣接するもの同士を順次に結ぶ直線で形成される軌跡の形状を、平行四辺形とする。
【００３６】
作業者は、このような構成の測定用器具を用いることによって、軌跡の形状が平行四辺形となっている４つのマークを、測定対象（例えば、ひび割れ）の周囲に付けることができる。平行四辺形の２つの対角線の交点は、測定対象の略中央部と一致する。そのため、コンピュータによって撮影画像を解析させる場合に、コンピュータは、撮影画像の中から測定対象の略中央部を容易に特定することができる。また、撮影画像が正しい方向（すなわち、測定対象の略中央部に対して垂直となる方向）から撮影されていない場合は、撮影画像に写るマークが形成する図形が軌跡の形状通りの平行四辺形にならない。この場合、コンピュータは、撮影画像に写るマークが形成する図形の辺の比率と軌跡の形状通りの平行四辺形の辺の比率とを比較することによって、撮影画像の歪みを検出することができる。そのため、コンピュータは、撮影画像を部分的に伸張または圧縮することにより、正しい方向から撮影した場合と同様の画像を取得することができる。なお、平行四辺形の中でも正方形は、撮影画像の歪みの検出や、撮影画像の部分的な伸張・圧縮をし易い。そのため、軌跡の形状としては、正方形が最も好ましい。
【００３７】
また、この発明を実施するにあたり、好ましくは、ベース部を、測定用器具を立て掛けた状態で支持する支持部を備えている構造とする。作業者は、測定用器具を立て掛けた状態で設置することができるので、一人でも容易に構築物の損傷の周囲にマークを付けることができる。
【発明の効果】
【００３８】
この発明に係る測定用器具は、測定のための専門的な知識や技能を持たない人物であっても、測定対象の周囲のほぼ定位置にマークを簡単かつ正確に付けることができるので、簡単かつ正確に測定対象の寸法を測定することができる。
【発明を実施するための最良の形態】
【００３９】
この発明に係る測定用器具は、マークを測定対象（ここでは、ひび割れや仕上げ材の部分的な欠落などの構築物の損傷）の周囲のほぼ定位置に付けるためのものであり、以下のように用いられる。
【００４０】
すなわち、作業者は、後述の長さ指定部が測定対象を覆うように、測定用器具を設置する。そして、測定用器具を用いて、複数のマークを測定対象の周囲に付ける。次に、測定用器具を測定対象から取り外し、各マークが写るように、カメラ（好適にはデジタルカメラ）で測定対象を略垂直方向から撮影し、撮影画像をコンピュータに入力する。そして、その撮影画像をコンピュータに解析させる。コンピュータに解析させるソフトウェアは、すでにいくつかが市販されており、例えば「ＧＳ−１」（株式会社ニコン・トリンブル社の商品名）などがある。コンピュータは、これらのソフトウェアに基づいて、入力された撮影画像（以下、入力画像という）が正しい方向（すなわち、測定対象の略中央部に対して垂直となる方向）から撮影した理想的な撮影画像（以下、理想画像という）と同様になるように、入力画像に写る各マークに基づいて入力画像を修正する。これによって理想画像と同様の修正された画像（以下、修正画像という）を取得する。そして、修正画像に基づいて、修正画像に写る測定対象とその周囲の各マークとを比較し、測定対象の寸法を解析する。
【００４１】
以下に、図を参照してこの発明の実施の形態を説明する。なお、各図は、この発明を理解できる程度に概略的に示してあるに過ぎない。よって、この発明は図示例のみに限定されるものではない。また、各図において、共通する構成要素や同様な構成要素については、同一の符号を付し、それらの重複する説明を省略する。また、以下は、測定対象として、ひび割れを例にして説明する。
【実施例】
【００４２】
＜測定用器具の構成＞
図１に、測定用器具の外観を示す。図１に示すように、測定用器具１は、ベース部１０と、それぞれの両端に測定の基準となる長さ指定点３を有する、棒状の、複数の長さ指定部２０とからなる。
【００４３】
また、測定用器具１は、測定用器具１を壁などに立て掛けた状態で支持するための支持部３０や、壁などに立て掛けた状態にある測定用器具１が動かないように、床面との間に摩擦力を生じさせるための緩衝部４０、測定用器具１を持ち抱えるためのグリップ部５０などを備える。
【００４４】
ベース部１０は、複数の長さ指定部２０をそれぞれの長さの中心点２で互いに交差するように保持する。
【００４５】
ベース部１０は、後述のヒンジ１４、１５（図５参照）などの結合部によって長さ指定部２０や支持部３０を回動可能に保持する。このような構成の測定用器具１は、長さ指定部２０や支持部３０をベース部１０に対して垂直となる方向（以下、収束方向という）に回動することができる。そのため、測定用器具１は、コンパクトな形状に変形することができる。その結果、測定用器具１は、容易に運搬することができるとともに、大きな場所をとらずに保管することができる。なお、結合部は、ヒンジ以外の回動機能を有する構成にしてもよい。
【００４６】
長さ指定部２０は、この実施例では、２つ存在する。以下、それぞれの長さ指定部２０を区別する場合に、それぞれを、第１長さ指定部２０−１、第２長さ指定部２０−２と称する。
【００４７】
第１長さ指定部２０−１は、棒状の第１長尺部２０−１ａと第２長尺部２０−１ｂとからなる。第１長さ指定部２０−１の第１長尺部２０−１ａは、自由端側の先端である第１端（以下、終端という場合もある）に第１長さ指定点３−１を有するとともに、固定端側の先端である第２端（以下、始端という場合もある）にベース部１０と結合するヒンジ１４−１を有する。また、第１長さ指定部２０−１の第２長尺部２０−１ｂは、第１端に第２長さ指定点３−３を有するとともに、第２端にベース部１０と結合するヒンジ１４−３を有する。第１長さ指定部２０−１の第１長尺部２０−１ａと第２長尺部２０−１ｂは、中心点２を通る直線上に点対称に配置されている。すなわち、第１長さ指定部２０−１の第１長尺部２０−１ａと第２長尺部２０−１ｂは、中心点２を中心にして１８０度異なる方向に突出し、かつ、中心点２から第１長さ指定点３−１までの長さと中心点２から第２長さ指定点３−３までの長さが等しくなるように配置されている。なお、ヒンジ１４−１は、第１長さ指定部２０−１の第１長尺部２０−１ａとベース部１０とを回動可能に結合する第１長さ指定部２０−１の第１結合部となり、ヒンジ１４−３は、第１長さ指定部２０−１の第２長尺部２０−１ｂとベース部１０とを回動可能に結合する第１長さ指定部２０−１の第２結合部となる。
【００４８】
他方、第２長さ指定部２０−２は、直線上に配置された棒状の第１長尺部２０−２ａと第２長尺部２０−２ｂとからなる。第２長さ指定部２０−２の第１長尺部２０−２ａは、第１端に第１長さ指定点３−２を有するとともに、第２端にベース部１０と結合するヒンジ１４−２を有する。また、第２長さ指定部２０−２の第２長尺部２０−２ｂは、第１端に第２長さ指定点３−４を有するとともに、第２端にベース部１０と結合するヒンジ１４−４を有する。第２長さ指定部２０−２の第１長尺部２０−２ａと第２長尺部２０−２ｂは、中心点２を通る直線上に点対称に配置されている。すなわち、第２長さ指定部２０−２の第１長尺部２０−２ａと第２長尺部２０−２ｂは、中心点２を中心にして１８０度異なる方向に突出し、かつ、中心点２から第１長さ指定点３−２までの長さと中心点２から第２長さ指定点３−４までの長さが等しくなるように配置されている。なお、ヒンジ１４−２は、第２長さ指定部２０−２の第１長尺部２０−２ａとベース部１０とを回動可能に結合する第２長さ指定部２０−２の第１結合部となり、ヒンジ１４−４は、第２長さ指定部２０−２の第２長尺部２０−２ｂとベース部１０とを回動可能に結合する第２長さ指定部２０−２の第２結合部となる。
【００４９】
長さ指定部２０は、コンピュータによる入力画像の修正のし易さを考慮すると、複数の指定点３の隣接するもの同士を結ぶ直線で形成される軌跡の形状を平行四辺形（特に、正方形）であることが好ましい。そこで、この実施例では、軌跡の形状が正方形となるように、長さ指定部２０の数を２つとし、４つの長尺部２０−１ａ，２０−２ａ，２０−１ｂ，２０−２ｂによって、２つの長さ指定部２０−１，２０−２を形成する。そして、４つの長尺部２０−１ａ，２０−２ａ，２０−１ｂ，２０−２ｂのそれぞれの長さをＬとし、また、４つの長尺部２０−１ａ，２０−２ａ，２０−１ｂ，２０−２ｂがなすそれぞれの角度θa〜θdを９０度とする。また、４つの長尺部２０−１ａ，２０−２ａ，２０−１ｂ，２０−２ｂのそれぞれの終端に、終端から長さ指定部２０の中心点２側に向けて削り込まれた三角形の切欠２１を設ける。この４つの切欠２１は、マークを測定対象の周囲に付けるためのものであり、４つの切欠２１の三角形の頂点は、各長さ指定点３−１〜３−４に一致している。なお、４つの切欠２１の形状を三角形にするのは、コンピュータによる識別性が高く、また、三角形の頂点を長さ指定点３として利用することができるからである。そのため、マークをコンピュータに識別させる場合に、コンピュータは、長さ指定点３の位置を容易かつ正確に検出することができる。
【００５０】
また、４つの長尺部２０−１ａ，２０−２ａ，２０−１ｂ，２０−２ｂは、それぞれの短尺方向の略中央部に、長尺方向に沿って等間隔おきに離間して設けられた複数の貫通孔２２を有している。貫通孔２２も、マークを測定対象の周囲に付けるためのものである。貫通孔２２は、長さ指定部２０の中心点２からの距離を指定する副次的な長さ指定点として利用することができる。
【００５１】
支持部３０は、長さ指定部２０とともにベース部１０から放射状に突出するように、２つの長さ指定部２０に挟まれたベース部１０の一辺に設けられている。
【００５２】
緩衝部４０は、支持部３０の終端に設けられている。緩衝部４０は、ゴムなどの弾性材によって形成され、測定用器具１が壁などに立て掛けられた場合に、床面との間に生じる摩擦力によって、測定用器具１を支持する。
【００５３】
グリップ部５０は、作業者が測定用器具１の姿勢を変える場合や運搬する場合において、測定用器具１を持ち抱えるために供される。グリップ部５０は、例えば、ベース部１０の略中央部（好適には、各長さ指定部２０の中心点２と一致する点）に、垂直方向に突出するように設けられている。
【００５４】
図２〜図７に、測定用器具１の細部の構成を示す。図２は測定用器具１全体の細部の構成を示し、図３は測定用器具１の斜め上方から見た場合の細部の構成を示し、図４と図５は測定用器具１のベース部１０の周囲の細部の構成を示している。なお、図２〜図４は運搬時における形状を示し、図５は測定時における形状を示している。図６は長さ指定部２０の終端の構成を示し、図７は支持部３０の終端の構成を示している。
【００５５】
測定用器具１は、運搬時において、図２〜図４に示すように、長さ指定部２０や支持部３０が収束方向に回動される。これにより、測定用器具１は、一本の柱状に収束したコンパクトな形状となる。なお、長さ指定部２０や支持部３０は、固定部６０（例えば、ゴム材や繊維などによって構成された紐）によって固定される。これにより、作業者は、容易に測定用器具１を持ち抱えて運搬することができる。
【００５６】
測定用器具１のベース部１０は、図２〜図５に示すように、平板状のプレート１１と、プレート１１に隆起して設けられたガイド１２とからなる。
【００５７】
プレート１１は、長さ指定部２０の中心点２に対応する対応点１６（図５参照）を有する。なお、図５に示す２つの一点鎖線は、各長さ指定部２０の長尺方向の中心線を示している。対応点１６は、この実施例では、２つの一点鎖線が交差する点に存在する。
【００５８】
ガイド１２は、図５に示すように、この実施例では、４つの長尺部２０−１ａ，２０−２ａ，２０−１ｂ，２０−２ｂに応じて４つ存在する。以下、それぞれのガイド１２を区別する場合に、それぞれを、第１ガイド１２−１，１２−２と第２ガイド１２−３，１２−４と称する。ガイド１２−１〜１２−４は、それぞれ、溝１３を有している。この溝１３に、各長尺部２０−１ａ，２０−２ａ，２０−１ｂ，２０−２ｂが入り込む。そして、各長尺部２０−１ａ，２０−２ａ，２０−１ｂ，２０−２ｂは、ガイド１２との間に生じる摩擦力によって固定される。このとき、ガイド１２−１，１２−３は、第１長さ指定点３−１と対応点１６と第２長さ指定点３−３とが直線上に並ぶとともに、対応点１６から第１長さ指定点３−１までの長さと対応点１６から第２長さ指定点３−３までの長さが等しくなる位置に、第１長さ指定部２０−１の第１長尺部２０−１ａと第２長尺部２０−１ｂを固定する。また、ガイド部１２−２，１２−４は、第１長さ指定点３−２と対応点１６と第２長さ指定点３−４とが直線上に並ぶとともに、対応点１６から第１長さ指定点３−２までの長さと対応点１６から第２長さ指定点３−４までの長さが等しくなる位置に、第２長さ指定部２０−２の第１長尺部２０−２ａと第２長尺部２０−２ｂを固定する。
【００５９】
４つの長尺部２０−１ａ，２０−２ａ，２０−１ｂ，２０−２ｂは、図２、図３、図６に示すように、平板を矩形（この実施例では四角形）に折り曲げることによって形成されている。すなわち、４つの長尺部２０−１ａ，２０−２ａ，２０−１ｂ，２０−２ｂは、それぞれの長尺方向に直交する横断面形状が、長尺方向に沿う両縁部を互いに向き合う方向に折り曲げてある、コの字状に形成されている。このような４つの長尺部２０−１ａ，２０−２ａ，２０−１ｂ，２０−２ｂは、高い強度を有する。しかも、４つの長尺部２０−１ａ，２０−２ａ，２０−１ｂ，２０−２ｂは、測定対象と接する側の面が平面で、かつ、中が空洞なパイプ型の形状に形成されることになるので、測定対象と密着させることができるとともに、軽量にすることができる。
【００６０】
４つの長尺部２０−１ａ，２０−２ａ，２０−１ｂ，２０−２ｂは、前述の通り、それぞれの終端に、三角形の切欠２１を有している。作業者は、筆記用具（例えば、フエルトなどのペンや、鉛筆、その他）やシールなどを用いて、切欠２１に沿って測定対象の周囲にマークを付すことになる。なお、図６に示す切欠２１の角度θTは、作業者がマークを付ける効率やコンピュータがマークを識別する精度を考慮すると、９０度が特に好ましい。
【００６１】
測定用器具１の支持部３０は、図７に示すように、長尺部２０−１ａ，２０−２ａ，２０−１ｂ，２０−２ｂと同様に、平板を矩形（この実施例では四角形）に折り曲げることによって形成されている。すなわち、支持部３０は、長尺方向に直交する横断面形状が、長尺方向に沿う両縁部を互いに向き合う方向に折り曲げてある、コの字状に形成されている。このような支持部３０は、長尺部２０−１ａ，２０−２ａ，２０−１ｂ，２０−２ｂと同様に、高い強度を有する。しかも、支持部３０は、測定対象と接する側の面が平面で、かつ、中が空洞なパイプ型の形状に形成されることになるので、測定対象と密着させることができるとともに、軽量にすることができる。なお、支持部３０は、運搬時における測定用器具１の全長（すなわち、ベース部１０の測定対象に対向する側の面から各長尺部の終端までの長さ）をできるだけ小さくするために、長尺部２０−１ａ，２０−２ａ，２０−１ｂ，２０−２ｂと同じ長さまたはそれ以下の長さであることが好ましい。
【００６２】
測定用器具１のベース部１０や長尺部２０−１ａ，２０−２ａ，２０−１ｂ，２０−２ｂ、支持部３０などの素材は、熱や応力による変形がしにくいように、金属で形成することが好ましい。また、測定用器具１の寸法は、持ち運び時において、車両（一般的な普通乗用車）に積載可能な大きさであることが好ましい。そこで、この実施例では、持ち運び時の全長（すなわち、ベース部１０から各長尺部２０−１ａ，２０−２ａ，２０−１ｂ，２０−２ｂの終端までの長さ）を百数十ｃｍ以内とする。また、測定時において、数十〜百数十ｃｍ程度のひび割れを測定できるように、測定時の全長（すなわち、第１長尺部の終端から第２長尺部の終端までの長さ）を二百ｃｍ以内とする。具体的には、持ち運び時の全長を約７５ｃｍ、測定時の全長を１５０ｃｍとする。特に、測定時の全長は、測定に際して重要な要素となるため、高精度である必要がある。そこで、測定時の全長の精度を±１ｍｍ以内とする。また、測定用器具１の重さは、一人で持ち運びでき、かつ、壁などに立て掛けができる程度に軽量であることが好ましい。そこで、この実施例では、重さを十数ｋｇ以内とする。なお、このような条件を満たすには、各長尺部２０−１ａ，２０−２ａ，２０−１ｂ，２０−２ｂや支持部３０を、アルミニュウム合金などの軽量な金属によって、中が空洞なパイプ型の形状に形成することが好ましい。
【００６３】
＜測定用器具の使用例＞
図８〜図１１に、測定用器具の使用例を示す。図８は測定用器具１を測定対象の上に設置した状態を示し、図９は複数のマークを測定対象の周囲に付けた状態を示し、図１０は作業者によって撮影された撮影画像を示し、図１１は撮影画像に写る各マークの位置関係を示している。
【００６４】
運搬時において、測定用器具１は、各長尺部２０−１ａ，２０−２ａ，２０−１ｂ，２０−２ｂや支持部３０が収束方向に回動された状態となっている（図２参照）。作業者は、そのような状態となっている測定用器具１を車両などに積載し、測定を行う現場（すなわち、測定対象であるひび割れ７１が生じた壁７０付近）まで運搬する。
【００６５】
作業者は、現場に到着すると、測定用器具１を車両などから降ろし、各長尺部２０−１ａ，２０−２ａ，２０−１ｂ，２０−２ｂと支持部３０をベース部１０に対して平行となる方向（以下、展開方向という）に回動する。これによって、測定用器具１は、図８に示すような形状（すなわち、測定時の形状）に変わる。
【００６６】
次に、作業者は、図８に示すように、各長尺部２０−１ａ，２０−２ａ，２０−１ｂ，２０−２ｂが測定対象であるひび割れ７１を覆うように、測定用器具１を設置する。そして、図９に示すように、筆記用具やシールなどを用いて、各長尺部２０−１ａ，２０−２ａ，２０−１ｂ，２０−２ｂの切欠２１に沿って（または、貫通孔２２を通して）、複数（この実施例では４つ）のマーク８０をひび割れ７１の周囲に付ける。このとき、付される４つのマーク８０は、長さ指定部２０の中心点２（図１，図５参照）を中心にして、９０度間隔で中心点２から長さＬの位置に付される。そのため、４つのマーク８０は、隣接するもの同士を結ぶ直線で形成される軌跡の形状が正方形となる。
【００６７】
次に、作業者は、測定用器具１をひび割れ７１から取り外し、作業者の感覚に基づいて、４つのマーク８０が写るように、カメラ（好適にはデジタルカメラ）でひび割れ７１を略垂直方向から撮影し、撮影画像をコンピュータに入力する。このとき、撮影された撮影画像を、図１０に示す。図１０に示すように、撮影画像は、作業者の感覚に基づいて撮影されているため、厳密には不正確な方向から撮影されたものとなっている。そのため、撮影画像には、４つのマーク８０が歪んだ位置（すなわち、隣接する４つのマーク８０の隣接するもの同士を結ぶ直線の軌跡の形状が正方形とならない位置）に写っている。
【００６８】
コンピュータは、解析用のソフトウェア（例えば、市販の「ＧＳ−１」（株式会社ニコン・トリンブル社の商品名））を予め格納しており、解析用のソフトウェアに基づいて、入力された撮影画像（入力画像）を修正し、これによって理想画像と同様の修正画像を取得する。
【００６９】
具体的には、コンピュータは、例えば、以下のようにして、４つのマーク８０の位置関係を導き出す。
【００７０】
すなわち、まず、コンピュータは、図１１に示すように、４つのマーク８０を特定する。なお、図１１では、４つのマーク８０は、右上のものから時計回りに、順に、８０−１、８０−２、８０−３、８０−４として示されている。
【００７１】
次に、コンピュータは、マーク８０−１〜マーク８０−４の中の隣接するもの同士を結ぶ直線８１−ａ〜８１−ｄを引く。また、マーク８０−１とマーク８０−３とを結ぶ直線８２−１およびマーク８０−２とマーク８０−４とを結ぶ直線８２−２を引く。なお、図１１では、直線８２−１と直線８２−２は、一点鎖線として示されている。そして、コンピュータは、直線８２−１と直線８２−２とが交差する交点８３を特定する。
【００７２】
ここで、各直線８１−ａ〜８１−ｄは、理想画像では、全て等しい長さとなるべきものである。また、直線８２−１と直線８２−２は、４つの長尺部２０−１ａ，２０−２ａ，２０−１ｂ，２０−２ｂの隣接するもの同士の終端を結ぶ直線で形成される図形（すなわち、広義には平行四辺形となり、この実施例では正方形となる）の対角線となる。また、交点８３から各マーク８０−１〜８０−４までの距離Ｌ−１〜Ｌ−４は、理想画像では、全て各長尺部２０−１ａ，２０−２ａ，２０−１ｂ，２０−２ｂと同じ長さ（すなわち、長さＬ）になるべきものである。
【００７３】
次に、コンピュータは、直線８１−ａ〜８１−ｄによって形成される図形が正方形となるように（すなわち、各距離Ｌ−１〜Ｌ−４が同じ長さになるように）、入力画像を部分的に伸張または圧縮する。このとき、コンピュータは、交点８３を中心にして放射方向毎に、交点８３からの距離に応じて伸張または圧縮する比率を変えながら、入力画像を部分的に伸張または圧縮する。なお、この入力画像の部分的な伸張または圧縮は、解析用のソフトウェアの仕様に応じて、適宜、伸張または圧縮の一方のみ、または、両方とも実行することができる。そして、このような入力画像の部分的な伸張または圧縮は、入力画像に写る測定対象（ひび割れ７１）の形状を理想画像におけるひび割れ７１の形状と同様な形状に修正することになる。
【００７４】
このようにして、コンピュータは、理想画像と同様の修正画像を取得する。
【００７５】
次に、コンピュータは、解析用のソフトウェアに基づいて、修正画像に基づいて、修正画像に写る測定対象であるひび割れ７１と各マーク８０−１〜８０−４の関係からひび割れ７１の寸法を解析する。
【００７６】
具体的には、コンピュータは、修正画像に基づいて、ひび割れ７１と、交点８３から各マーク８０−１〜８０−４までの距離Ｌ−１〜Ｌ−４とを比較する。このとき、交点８３から各マーク８０−１〜８０−４までの距離Ｌ−１〜Ｌ−４は、全て同じ長さとなっている。しかも、その長さは、各長尺部２０−１ａ，２０−２ａ，２０−１ｂ，２０−２ｂと同じ長さ（すなわち、長さＬ）を意味する。したがって、コンピュータは、交点８３から各マーク８０−１〜８０−４までの距離Ｌ−１〜Ｌ−４を基準にすることによって、ひび割れ７１の寸法を特定することができる。
【００７７】
このようにして、コンピュータは、測定対象であるひび割れ７１の寸法を解析する。
【００７８】
以上の通り、この発明によれば、作業者は、長さ指定部２０の中心点２が測定対象（例えば、ひび割れ７１）の略中央部に一致するように測定用器具１を設置し、各長さ指定点３に沿ってマーク８０を付けるだけで、簡単かつ正確に、測定対象の周囲のほぼ定位置に測定の基準となるマーク８０を付けることができる。したがって、測定のための専門的な知識や技能を持たない人物であっても、ひび割れの寸法を簡単かつ正確に測定することができる。
【００７９】
また、この発明によれば、入力画像に写るマーク８０の位置の誤差をコンピュータによって修正することができる。そのため、撮影時において、作業者は、場合に応じて、カメラの設置位置や設置方向を適宜選択することができる。極限すれば、作業者は、適当に測定対象（ひび割れ７１）を撮影するだけでよい。そのため、この発明によれば、従来の第１の手法よりも手間や時間を大幅に短縮することができる。しかも、従来の第２の手法のように、高い場所に上がる必要がないので、安全でもある。
【００８０】
＜変形例＞
この発明は、前述の実施例に限定されることなく、この発明の要旨を逸脱しない範囲で種々の変形が考えられる。図１２〜図１５に、変形の一例を示す。
【００８１】
図１２に示す例は、各長尺部２０−１ａ，２０−２ａ，２０−１ｂ，２０−２ｂを伸縮固定自在な多段状構造としたものである。すなわち、各長尺部２０−１ａ，２０−２ａ，２０−１ｂ，２０−２ｂに、長尺方向に沿って摺動する摺動部２４を設けたものである。また、各長尺部２０−１ａ，２０−２ａ，２０−１ｂ，２０−２ｂには、摺動部２４を固定するねじ２５も設けられている。なお、各長尺部２０−１ａ，２０−２ａ，２０−１ｂ，２０−２ｂは、図１２に示す例では２段構造になっているが、摺動部２４の内部に別の摺動部（図示せず）を設けることにより、３段以上の構造にすることもできる。
【００８２】
摺動部２４は、先端に切欠が設けられ、切欠の頂点を基準にして長尺方向にｍｍ単位の目盛りが設けられた、いわば、物差しに類するものである。摺動部２４は、通常時において、長さ指定部２０内に収納されているが、測定時において、作業者によって長さ指定部２０の終端から長尺方向に突出される。なお、測定時において、作業者は、測定対象であるひび割れ７１の大きさに応じて、摺動部２４の目盛りの所望の値が長さ指定部２０の終端と重なるように、摺動部２４を長さ指定部２０の終端から突出させることになる。そして、ねじ２５によって摺動部２４を固定して、測定用器具１をひび割れ７１に添え、切欠に沿ってひび割れ７１の周囲にマーク８０を付けることになる。このような構成の測定用器具１は、コンパクトな形状に変形することができるので、容易に運搬することができるとともに、大きな場所をとらずに保管することができる。
【００８３】
図１３に示す例は、ベース部１０のガイド１２に各長さ指定部２０を固定するための固定機構を設けたものである。固定機構は、長さ指定部２０を押圧する梁２６と、梁２６を回動自在に支持するピン２７と、梁２６を挟み込んで固定するロック２８とからなる。このような構成の測定用器具１は、長さ指定部２０を固定させることができるので、作業者は好適に利用することができる。
【００８４】
図１４に示す例は、４つの結合部を、各長尺部２０−１ａ，２０−２ａ，２０−１ｂ，２０−２ｂの第２端が嵌入固定される嵌入固定部としたものである。すなわち、各長尺部２０−１ａ，２０−２ａ，２０−１ｂ，２０−２ｂの第２端側に凸部２９を設けるとともに、ベース部１０のガイド１２に、凸部２９が嵌入される凹部１６を設け、凹部１６の所定の位置に各長尺部２０−１ａ，２０−２ａ，２０−１ｂ，２０−２ｂを固定するための固定部１７を設けたものである。なお、固定部１７を設ける所定の位置とは、中心点２（図１参照）から第１長さ指定点３−１，３−２までの長さと中心点２から第２長さ指定点３−３，３−４までの長さが同じになる位置である。このような構成の測定用器具１は、ベース部１０と各長尺部２０−１ａ，２０−２ａ，２０−１ｂ，２０−２ｂとを分解することができる。そのため、運搬時に、分解して運搬することができる。
【００８５】
図１５に示す例は、各長尺部２０−１ａ，２０−２ａ，２０−１ｂ，２０−２ｂのそれぞれの長尺方向に直交する横断面形状を、円環状としたものである。このような構成の測定用器具１は、コの字状の横断面形状より強度が劣るが、各長尺部２０−１ａ，２０−２ａ，２０−１ｂ，２０−２ｂの強度をある程度高くすることができる。なお、ベース部１０のガイド１２や溝１３の形状は、当然ながら、各長尺部２０−１ａ，２０−２ａ，２０−１ｂ，２０−２ｂが保持できるように、各長尺部２０−１ａ，２０−２ａ，２０−１ｂ，２０−２ｂの横断面形状に応じて変形されている。
【産業上の利用可能性】
【００８６】
前述の実施例では、土木建築物のひび割れ（仕上げ材の剥離や部分的な欠落を含む）の寸法を測定する場合を例にして説明しているが、この発明は、ひび割れに限らず、様々な対象物の寸法を測定する場合にも利用することができる。
【図面の簡単な説明】
【００８７】
【図１】測定用器具の外観を示す図である。
【図２】測定用器具の細部の構成を示す図（１）である。
【図３】測定用器具の細部の構成を示す図（２）である。
【図４】測定用器具の細部の構成を示す図（３）である。
【図５】測定用器具の細部の構成を示す図（４）である。
【図６】測定用器具の細部の構成を示す図（５）である。
【図７】測定用器具の細部の構成を示す図（６）である。
【図８】測定用器具の使用例を示す図（１）である。
【図９】測定用器具の使用例を示す図（２）である。
【図１０】測定用器具の使用例を示す図（３）である。
【図１１】測定用器具の使用例を示す図（４）である。
【図１２】変形例の一例を示す図（１）である。
【図１３】変形例の一例を示す図（２）である。
【図１４】変形例の一例を示す図（３）である。
【図１５】変形例の一例を示す図（４）である。
【符号の説明】
【００８８】
１    …測定用器具
２    …長さ指定部の中心点
３（３−１〜３−４）    …長さ指定点
１０    …ベース部
１４（１４−１〜１４−４）    …結合部
２０（２０−１，２０−２）    …長さ指定部
２０−１ａ，２０−１ｂ，２０−２ａ，２０−２ｂ    …長尺部
２１    …切欠
２２    …貫通孔
３０    …支持部
４０    …緩衝部
５０    …グリップ部
θa〜θd    …角度
【図９】
2005337942.tif 000003
【図１０】
2005337942.tif 000004
【図１１】
2005337942.tif 000005
【図１２】
2005337942.tif 000006
【図１３】
2005337942.tif 000007
【図１４】
2005337942.tif 000008
【図１５】
2005337942.tif 000009
【図１】
2005337942.tif 000010
【図２】
2005337942.tif 000011
【図３】
2005337942.tif 000012
【図４】
2005337942.tif 000013
【図５】
2005337942.tif 000014
【図６】
2005337942.tif 000015
【図７】
2005337942.tif 000016
【図８】
2005337942.tif 000017